(57)【特許請求の範囲】
【請求項１】
印刷物を作成するためのページデータの検査方法であって、
前記ページデータに基づいて、印刷機で印刷を行うための印刷用ページ画像データに相当する被検査用ページ画像データを作成する被検査用ページ画像データ作成工程と、
前記ページデータに基づいて、ページデータ表示装置で表示を行う表示用ページ画像データに相当する検査用ページ画像データを作成する検査用ページ画像データ作成工程と、
前記被検査用ページ画像データによって表現される被検査用ページ画像と、前記検査用ページ画像データによって表現される検査用ページ画像と、を比較することにより差分ページ画像を表現する差分ページ画像データを作成する差分ページ画像データ作成工程と、
前記差分ページ画像に対応する前記被検査用ページ画像の画像領域および検査用ページ画像の画像領域における属性情報を、前記被検査用ページ画像データおよび検査用ページ画像データから取得することによって、差分ページ画像属性情報を作成する差分ページ画像属性情報作成工程と、
前記差分ページ画像において、前記属性情報が前記被検査用ページ画像に存在して前記検査用ページ画像に存在しない第１画像領域が発生した原因は前記被検査用ページ画像データ作成工程における不具合であること、および前記差分ページ画像において、前記属性情報が前記検査用ページ画像に存在して前記被検査用ページ画像に存在しない第２画像領域が発生した原因は前記ページデータに不適切な部分があったためであること、をオペレータが前記差分ページ画像属性情報に基づいて判断する原因特定工程と、を有するページデータの検査方法。
【請求項２】
請求項１に記載のページデータの検査方法であって、
前記差分ページ画像データ作成工程では、前記差分ページ画像データが表現する差分ページ画像の存在を強調する注釈画像データを作成すること、
を特徴とするページデータの検査方法。
【請求項３】
請求項１に記載のページデータの検査方法であって、
前記差分ページ画像データ作成工程では、前記差分ページ画像の位置を前記ページデータから取得して差分位置情報として作成すること、
を特徴とするページデータの検査方法。
【請求項４】
請求項１乃至３のいずれか１項に記載のページデータの検査方法であって、
前記被検査用ページ画像と、前記検査用ページ画像と、前記差分ページ画像とを切替表示可能な階層構造を有し、前記差分ページ画像属性情報を前記差分ページ画像に対するコメントとする確認用ページ画像データを作成する確認用ページ画像データ作成工程、
を有することを特徴とするページデータの検査方法。
【請求項５】
請求項２に記載のページデータの検査方法であって、
前記被検査用ページ画像と、前記検査用ページ画像と、前記差分ページ画像とを切替表示可能な階層構造を有し、前記差分ページ画像属性情報を前記差分ページ画像に対するコメントとする確認用ページ画像データを作成する確認用ページ画像データ作成工程、を有し、
前記確認用ページ画像データ作成工程では、前記注釈画像データを前記確認用ページ画像データの切替表示可能な階層構造に追加すること、
を特徴とするページデータの検査方法。
【請求項６】
請求項３に記載のページデータの検査方法であって、
前記被検査用ページ画像と、前記検査用ページ画像と、前記差分ページ画像とを切替表示可能な階層構造を有し、前記差分ページ画像属性情報を前記差分ページ画像に対するコメントとする確認用ページ画像データを作成する確認用ページ画像データ作成工程、を有し、
前記確認用ページ画像データ作成工程では、前記差分位置情報を前記確認用ページ画像データのコメントとして追加すること、
を特徴とするページデータの検査方法。
【請求項７】
請求項４に記載のページデータの検査方法であって、
前記確認用ページ画像データと該確認用ページ画像データの作成元である前記ページデータとを関連付けて格納し、前記ページデータと同じデータ形式のレポートデータを作成するレポートデータ作成工程、
を有することを特徴とするページデータの検査方法。
【請求項８】
請求項１に記載のページデータの検査方法であって、
前記差分ページ画像属性情報を表示する表示工程を有すること、
を特徴とするページデータの検査方法。
【発明の詳細な説明】
【技術分野】
【０００１】
この発明は、印刷物を作成するためのページデータの検査方法に関する。
【背景技術】
【０００２】
PostScript(ADOBE社の登録商標)、PDFなどのページ記述言語によって作成された印刷物のページ画像を表現するページデータに対してラスタライズ処理（以下、RIPと称する）を行ない、RIPによって作成された印刷データを使用した印刷が一般的に行なわれている。
このような場合、電子的な処理で作成されたページデータ、および該ページデータをRIPした結果である印刷データも電子的なデータとなることから、印刷機による印刷物が得られるまで、ページデータによって表現されるページ画像、RIPした結果得られる印刷データによって表現される印刷画像について確認するには、ページデータおよび印刷データに対して処理を行なうコンピュータの液晶ディスプレイ、CRT、有機ELディスプレイなどの表示手段に頼る他はなかった。
【０００３】
このような場合、ページデータによって表現されるページ画像と、印刷データによって表現される印刷画像とを比較し、画像検査を行なう先行技術として、下記のようなものが存在する。
【先行技術文献】
【特許文献】
【０００４】
【特許文献１】特開2004-203016
【発明の概要】
【発明が解決しようとする課題】
【０００５】
特許文献１に記載の発明では、製版・印刷工程間における異なる工程、すなわちページデータ作成工程で作成されたページデータが表現するページ画像と、該ページデータに対するRIP工程で作成された印刷データが表現する印刷画像とを比較して差異を検出することを開示している。
しかし、差異が検出される原因について、ページデータに原因があるのか、印刷データに原因があるのか、を確認できないという問題があった。
【０００６】
すなわち、ページデータによるページ画像と印刷データによる印刷画像との差異が生じる原因として、RIPを行なう装置に搭載されていないフォントを使用してページデータを作成した場合、あるいは印刷機で使用することのできない色をページ上のオブジェクトに指定したページデータを作成した場合など、ページデータ作成側に原因がある場合がある。
従って、ページデータによるページ画像と印刷データによる印刷画像との比較結果をページデータ作成者が確認し、差異が生じた原因がページデータにあるのか印刷データに有るのかを確認するための仕組みが必要とされている。
【０００７】
また、ページデータによるページ画像と印刷データによる印刷画像との差異が生じる原因として、ページデータにおいてリンクしているオブジェクトのコールを失敗してRIPを行なった結果による印刷データの作成、あるいはページ上のオブジェクトの配置方向を反転してRIPしてしまったことによる印刷データの作成など、RIP側のトラブルに原因がある場合もある。
従って、ページデータによるページ画像と印刷データによる印刷画像との比較結果をRIP作業者が確認し、差異が生じた原因がページデータにあるのか印刷データに有るのかを確認するための仕組みが必要とされている。
【０００８】
このように、ページデータ作成者およびRIP作業者双方の環境において差異の確認を行ない差異の原因がページデータ作成工程あるいはRIP工程のどちらにあるかを容易に確認することができるページデータの検査方法を提供することが本発明の目的である。
【課題を解決するための手段】
【０００９】
かかる課題の少なくとも一部を解決する為、本発明は以下の形態、あるいは適用例を取ることができる。
［適用例１］
ページデータの検査方法であって、印刷物を作成するためのページデータに基づいて、印刷機で印刷を行うための印刷用ページ画像データに相当する被検査用ページ画像データを作成する被検査用ページ画像データ作成工程と、ページデータに基づいて、ページデータ表示装置で表示を行う表示用ページ画像データに相当する検査用ページ画像データを作成する検査用ページ画像データ作成工程と、被検査用ページ画像データによって表現される被検査用ページ画像と、検査用ページ画像データによって表現される検査用ページ画像と、を比較することにより差分ページ画像を表現する差分ページ画像データを作成する差分ページ画像データ作成工程と、前記差分ページ画像に対応する前記被検査用ページ画像の画像領域および検査用ページ画像の画像領域における属性情報を、前記被検査用ページ画像データおよび検査用ページ画像データから取得することによって、差分ページ画像属性情報を作成する差分ページ画像属性情報作成工程と、前記差分ページ画像において、前記属性情報が前記被検査用ページ画像に存在して前記検査用ページ画像に存在しない第１画像領域が発生した原因は前記被検査用ページ画像データ作成工程における不具合であること、および前記差分ページ画像において、前記属性情報が前記検査用ページ画像に存在して前記被検査用ページ画像に存在しない第２画像領域が発生した原因は前記ページデータに不適切な部分があったためであること、をオペレータが前記差分ページ画像属性情報に基づいて判断する原因特定工程と、を有する。
［適用例２］
ページデータの検査方法であって、差分ページ画像データ作成工程では、差分ページ画像データが表現する差分ページ画像の存在を強調する注釈画像データを作成する。
［適用例３］
ページデータの検査方法であって、差分ページ画像データ作成工程では、差分ページ画像の位置を前記ページデータから取得して差分位置情報として作成する。
［適用例４］
ページデータの検査方法であって、被検査用ページ画像と、検査用ページ画像と、差分ページ画像とを切替表示可能な階層構造を有し、差分ページ画像属性情報を差分ページ画像に対するコメントとする確認用ページ画像データを作成する確認用ページ画像データ作成工程、を有する。
［適用例５］
ページデータの検査方法であって、被検査用ページ画像と、検査用ページ画像と、差分ページ画像とを切替表示可能な階層構造を有し、差分ページ画像属性情報を差分ページ画像に対するコメントとする確認用ページ画像データを作成する確認用ページ画像データ作成工程、を有し、確認用ページ画像データ作成工程では、注釈画像データを確認用ページ画像データの切替表示可能な階層構造に追加する。
［適用例６］
ページデータの検査方法であって、被検査用ページ画像と、検査用ページ画像と、差分ページ画像とを切替表示可能な階層構造を有し、差分ページ画像属性情報を差分ページ画像に対するコメントとする確認用ページ画像データを作成する確認用ページ画像データ作成工程、を有し、確認用ページ画像データ作成工程では、差分位置情報を前記確認用ページ画像データのコメントとして追加する。
［適用例７］
ページデータの検査方法であって、確認用ページ画像データと該確認用ページ画像データの作成元であるページデータとを関連付けて格納し、ページデータと同じデータ形式のレポートデータを作成するレポートデータ作成工程、を有する。
［適用例８］
ページデータの検査方法であって、差分ページ画像属性情報を表示する表示工程を有する。
【発明の効果】
【００１０】
被検査用ページ画像と検査用ページ画像とを比較して差分ページ画像を作成する。また、前記差分ページ画像に対応する前記被検査用ページ画像の画像領域および検査用ページ画像の画像領域における属性情報を、前記被検査用ページ画像データおよび検査用ページ画像データから取得することによって、差分ページ画像属性情報を作成する。差分ページ画像データによって表現される差分ページ画像において、属性情報が被検査用ページ画像に存在して検査用ページ画像に存在しない第１画像領域が発生した原因は被検査用ページ画像データ作成工程における不具合であること、および属性情報が検査用ページ画像に存在して被検査用ページ画像に存在しない第２画像領域が発生した原因はページデータに不適切な部分があったためであること、をオペレータが差分ページ画像属性情報に基づいて判断する。これにより、差分ページ画像における画像領域が生じた原因が印刷用RIPに依るものか、当初のページデータに依るものかを確認することが容易となる。
【図面の簡単な説明】
【００１１】
【図１】画像検査データ作成装置１を説明するための図である。
【図２】画像比較部１７３による画像比較について説明するための図である。
【図３】差分ページ画像SIに対する差分特徴情報STDを説明するための図である。
【図４】差分ページ画像SIに注釈画像TIが付された状態を説明するための図である。
【図５】確認用ページ画像データ作成部１７４によって作成された確認用ページ画像データCIDを説明するための図である。
【図６】画像検査データ作成装置１の表示部１２において表示される確認用ページ画像データCIDを説明するための図である。
【図７】レポートデータRDの構成を説明するための図である。
【図８】画像検査データ作成装置１の動作を説明するためのフローチャートである。
【図９】画像検査データ作成装置１によって作成されたレポートデータRDが、ネットワーク４を介して、ページデータ表示装置２、３に送信される状態を説明するための図である。
【発明を実施するための形態】
【００１２】
以下、図面を利用しながら、本発明を実施形態について、説明を行なう。
【００１３】
〈第１の実施形態〉
図１は、本発明に関わる画像検査データ作成装置１を説明するための図である。画像検査データ作成装置１は、一般的に使用されるコンピュータと同様の構成を備えており、CPU１１、表示部１２、入力部１３、ネットワークI/F１４、メディアドライブ１５、記憶部１６、メモリ１７を備えている。
【００１４】
CPU１１は、画像検査データ作成装置１全体を制御し、特にメディアドライブ１５に挿入されたメディアディスク１８に記録されているプログラムPをメモリ１７において実行することによって、画像検査データ作成装置１の機能を実現している。
表示部１２は、画像検査処理に必要な情報を表示するために使用される。
また、表示部１２は後述するプロセスで作成されるレポートデータRDの表示を行なうことにより、画像検査の結果を確認するために使用される。
入力部１３は、マウスやキーボードで構成されており、画像検査データ作成装置１に対してオペレータが指示を入力するために使用する。
ネットワークI/F１４は、画像検査データ作成装置１と図示しないネットワークとを接続するためのものである。ネットワークI/F１４を介して、画像検査データ作成装置１はネットワークに接続されている図示しない端末からページデータを格納したジョブデータJD（後述する）を受信することができる。また、図示しないサーバより、画像検査データ作成装置１の機能を実現するプログラムPをダウンロードすることも可能である。さらに、図示しない端末に対して画像検査データ作成装置１が、このネットワークＩ／Ｆ１４を介して、レポートデータRDを送信することができる。
メディアドライブ１５は、メディアディスク１８に記録されているプログラムPを読み取るために使用する。メディアドライブ１５で読み取られたプログラムPにより、画像検査データ作成装置１の機能が実現される。
記憶部１６は、メディアドライブ１５で読み取られたプログラムPを格納する。また、記憶部１６は、ジョブデータJDも記憶する。さらに、記憶部１６は、後述するプロセスで作成されるレポートデータRDも記憶する。
【００１５】
メモリ１７は、記憶部１６によって記憶されたプログラムPをCPU１１が実行するためのワークエリアである。CPU１１によってプログラムPが実行された結果、メモリ１７において、被検査用ページ画像データ作成部１７１、検査用ページ画像データ作成部１７２、画像比較部１７３、確認用ページ画像データ作成部１７４、レポートデータ作成部１７５、ページデータ表示部１７６の機能が実現する。
【００１６】
被検査用ページ画像データ作成部１７１は、ページデータに対して印刷機で印刷を行なうための印刷用ページ画像データ作成に相当するRIPを行ない、被検査用ページ画像データを作成する。
被検査用ページ画像データ作成部１７１が行うRIPは、ページデータに基づいて、図示しない印刷装置において印刷を行なうために使用される多値ビットマップ画像を作成するための変換処理であり、
例えば、ページデータのデータ形式がPDFであった場合、被検査用ページ画像データ作成部１７１は、ADOBE PRINT Engine(ADOBE社の商標)のような印刷用RIPにより実現される。
【００１７】
検査用ページ画像データ作成部１７２は、ページデータに対してページデータ表示装置で表示を行なうための表示用ページ画像データ作成に相当するRIPを行ない、検査用ページ画像データを作成する。
検査用ページ画像データ作成部１７２が行うRIPは、ページデータに基づいて後述するページデータ表示部１７６によりページデータ表示装置としての表示部１２において表示を行なうために使用される多値ビットマップ画像データを作成するための変換処理であり、例えば、ページデータのデータ形式がPDFであった場合、検査用ページ画像データ作成部１７２は、PDF表示・作成用アプリケーションACROBAT（ADOBE社の登録商標）と共通のコアを使用したADOBE PDF Library(ADOBE社の商標)のような表示用RIPにより実現される。
【００１８】
すなわち、被検査用ページ画像データ作成部１７１、検査用ページ画像データ作成部１７２は、それぞれ印刷用RIP、表示用RIPという異なるRIPなので、同一のページデータに対して異なるRIPを行なったことにより得られる被検査用ページ画像データ、検査用ページ画像データが同一の結果となるとは限らない。
【００１９】
画像比較部１７３は、被検査用ページ画像データにより表現される被検査用ページ画像と、検査用ページ画像データにより表現される検査用ページ画像とを比較し、比較の結果差分が生じた場合には差分ページ画像データを作成する。
【００２０】
図２は、画像比較部１７３による画像比較について説明するための図である。同一のページデータに対して異なるRIPを行なったことにより得られる被検査用ページ画像と検査用ページ画像では、ページデータの記述に不適切な部分があった場合、あるいは被検査用ページ画像データ作成部１７１によるRIPにおいて不具合が生じた場合などは、比較の結果差分ページ画像が生じるので、画像比較部１７３は差分ページ画像を表現するための差分ページ画像データを作成する。
【００２１】
図２(a)は、被検査用ページ画像HIを示した図である。被検査用ページ画像データ作成部１７１がページデータを印刷用RIPに相当するRIPを行なった結果、被検査用ページ画像HIを表現する被検査用ページ画像データが作成される。
ここで、被検査用ページ画像データにより、ページS内に三つの画像領域A1、A2、A3を有する被検査用ページ画像HIが表現されている。被検査用ページ画像データ作成部１７１は印刷用ページ画像データ作成と同様のRIPを行なうことから、ページデータを印刷した結果得られる印刷物は、図２(a)のような表現が行なわれた印刷物となる。
【００２２】
一方、図２(b)は、検査用ページ画像KIを示した図である。検査用ページ画像データ作成部１７２がページデータを表示用RIPに相当するRIPを行なった結果、検査用ページ画像KIを表現する検査用ページ画像データが作成される。
ここで、検査用ページ画像データKIDにより、ページS内にやはり三つの画像領域A1、A2、A4が表現されている。検査用ページ画像データ作成部１７２は表示用ページ画像データ作成と同様のRIPを行なうことから、図２(b)に示す検査用ページ画像KIが表現するページ画像は、ページデータの作成者が作成したページ内容を表現したものと同じ画像である。
【００２３】
すなわち、図２(a)、(b)に示すように、同じページデータを被検査用ページ画像データ作成部１７１、検査用ページ画像データ作成部１７２でRIPしたとしても、作成された被検査用ページ画像HI、検査用ページ画像KIが同じ画像になるとは限らない。ページデータの作成者は、本来検査用ページ画像KIのようなページを表現するためのページデータを作成しているが、印刷用RIPと表示用RIPとでは異なるリソースを使用してRIPを行なっていることから、ページデータの処理内容が異なることがある。
【００２４】
例えば、ページデータの作成時、画像領域A4に対して印刷に使うCMYK以外のインク色（特色と称する）を指定した場合、検査用ページ画像データ作成部１７２は、特色が使用されている画像領域A4について正しい処理を行なうことにより、図２(b)において画像領域A4が存在している。
一方、被検査用ページ画像データ作成部１７１は、印刷に使うCMYKのインク色が指定されている領域のみを処理するので、図２(a)において特色が使用されている画像領域A4は存在していない。
【００２５】
逆に、ページデータ作成時に画像領域A3を作成していない場合、検査用ページ画像データ作成部１７２は、当然画像領域A3について処理を行なわないので、図２(b)において画像領域A3は存在しない。
一方、被検査用ページ画像データ作成部１７１は、RIP時のトラブルにより画像領域A2と同じ形状の画像領域A3が存在するものとして処理を行なったことにより、図２(a)において本来は存在していないはずの画像領域A3が存在している。
【００２６】
従って、画像比較部１７３が、被検査用ページ画像HIと検査用ページ画像KIとを比較した結果、図２(c)に示すような差分ページ画像SIを作成する。差分ページ画像SIは、図２(a)、(b)に共通して存在する画像領域A1、A2を有さず、図２(a)のみに存在する画像領域A3、図２(b)のみに存在する画像領域A4を有する画像となる。
【００２７】
画像比較部１７３は、検査用ページ画像HIと検査用ページ画像KIとの比較による差分ページ画像データ作成において、様々な条件を設定することが可能である。
【００２８】
画像比較部１７３による画像比較品質として、例えば、
検査強度・弱：大きな差異のみチェック
検査強度・中：中間品質でチェック
検査強度・強：文字の欠落もチェック
検査強度・カスタム：所望の品質でチェック
のように、画像比較を行なう際に比較検査の強度の設定を行なうことができる。
ここで、「検査強度・弱」は、一定サイズ以上の領域において差異が生じている場合のみ、画像比較部１７３が被検査用ページ画像HIと検査用ページ画像KIとの比較結果を差分と見なす。逆に「検査強度・強」は、文字フォントのセリフの違いなど、実用的な意味では問題がない詳細な点についても差異が生じていた場合に、画像比較部１７３が比較結果を差分と見なす。「検査強度・中」は、その中間的な強度で比較を行なう。
【００２９】
また、「検査強度・カスタム」では、検査強度・弱〜検査強度・強の範囲内で、検査強度を変化させることを示している。「検査強度・カスタム」では、「ゆすらせ量」、「許容値」、「孤立点除去」などの設定を可能とする。
「ゆすらせ量」とは、被検査用ページ画像HIと検査用ページ画像KIとを比較する際に、いわゆる画素ズレを起こしている場合にどちらかの画像の配置位置を仮想的にずらして両画像の比較を行なって、画素ズレをキャンセルして本来の差分値等を検出する際、仮想的にずらす量である。ゆすらせ量が小さければ画像比較の結果生じる差分は多くなり、ゆすらせ量が大きければ差分は少なくなる。
「許容値」とは、被検査用ページ画像HIと検査用ページ画像KIとを比較する際に、画像サイズの差異、画像位置の差異、あるいは画像の濃度差について、許容する範囲である。許容値が小さければ画像比較の結果生じる差分は多くなり、許容値が大きければ差分は少なくなる。
「孤立点除去」は、画像比較時に検出された、本来は存在しないはずの小サイズの画像を検出した際に、該画像を除去するかしないかを決定するための設定である。孤立点除去を設定した場合、別途設定した孤立点サイズに基づいて、該サイズ以下の孤立点については差分とせず除去することにより、差分ページ画像SIの検査を容易にすることができる。
【００３０】
また、画像比較部１７３による条件設定としては、他に比較対象ページの設定が存在する。比較対象ページ設定とは、例えば、
自動：可変印刷を行なう際の独立した画像である再利用部品や複数RIP使用時の負荷を考慮したページ分割範囲に基づいたページデータの数を画像比較対象ページとして決定する指定ページ：画像検査データ作成装置１のオペレータが指定したページデータを画像比較対象ページとして決定する。
全ページ：全てのページデータを画像比較対象ページとして決定する。
このように、画像比較を行なうページデータの数を設定することができるので、画像比較部１７３による画像比較時間を所望の範囲に収めることができる。
【００３１】
画像比較部１７３は、差分画像ページ画像データによって表現される差分ページ画像SIの確認を容易に行なうために、差分ページ画像属性情報作成部１７３１、注釈画像作成部１７３２、差分位置情報作成部１７３３を備える。
【００３２】
差分ページ画像属性情報作成部１７３１は、画像比較部１７３による比較の結果得られた差分ページ画像データによって表現される差分ページ画像SIに対応する被検査用ページ画像HIの画像領域、および検査用ページ画像KIの画像領域それぞれにおける属性情報を被検査用ページ画像データ、および検査用ページ画像データから取得することにより差分ページ画像属性情報STDを作成する。
【００３３】
差分ページ画像属性情報作成部１７３１は、被検査用ページ画像データから、該差分ページ画像SIに対応する被検査用ページ画像HIの画像領域から属性情報として被検査用ページ画像HIの色濃度を抽出する。
また、差分ページ画像属性情報作成部１７３１は、検査用ページ画像データから、該差分ページ画像SIに対応する検査用ページ画像KIの画像領域から属性情報として検査用ページ画像KIの色濃度、オーバープリントの指定、特色の指定を抽出する。
差分ページ画像属性情報作成部１７３１は、被検査用ページ画像データから抽出した属性情報、検査用ページ画像データから抽出した属性情報を組み合わせて、差分ページ画像属性情報STDを作成する。
【００３４】
作成された差分ページ画像属性情報STDは、画像検査データとして、差分ページ画像SIが生じた原因を特定するための情報であり、後述するプロセスにおいて、確認用ページ画像データのコメントとして使用される。
【００３５】
図３は、差分ページ画像SIに対する差分ページ画像属性情報STDを説明するための図である。図３では、図２(c)で作成された差分ページ画像SIにおける画像領域A3、A4に対して、二つの差分ページ画像属性情報STDが付された状態を示している。
【００３６】
図３の差分ページ画像SIにおける画像領域A3に対して、差分ページ画像属性情報作成部１７３１が被検査用ページ画像HI、検査用ページ画像KIからそれぞれ色濃度情報を抽出したことにより、「HI：C100,M100,Y100,K100」、「KI：C0,M0,Y0,K0」という差分ページ画像属性情報STDが表示されている。これにより、検査用ページ画像KI（本来所望されたページ）では画像領域A3について色濃度が存在していない（＝領域がない）のに対して、被検査用ページ画像HIでは画像領域A3について色濃度が存在していることがわかるので、差分ページ画像属性情報STDを確認することにより、画像検査データ作成装置１のオペレータは被検査用ページ画像HIを作成したRIPに問題があると判断することができる。
【００３７】
一方、図３の差分ページ画像SIにおける画像領域A4に対して、差分ページ画像属性情報作成部１７３１は、検査用ページ画像KIから画像領域A4について「Spot Color（特色）」が指定されていることを抽出しているのに対して、被検査用ページ画像HIの画像領域A4に対応する領域からは属性情報を抽出できなかったことを示す「none」とする差分特徴情報STDとしている。これにより、画像検査データ作成装置１のオペレータは作成されたページデータの画像領域A4に印刷を行なうことができない特色が指定されたことが問題であると判断することができる。
【００３８】
注釈画像作成部１７３２は、
画像比較部１７３が作成した差分ページ画像SIの存在を強調するための注釈画像TIを作成する。
図４は、差分ページ画像SIに注釈画像TIが付された状態を説明するための図である。図４では、図２(c)で作成された差分ページ画像SIにおける画像領域A3、A4に対して、二つの注釈画像TIが付された状態を示している。注釈画像TIによって差分ページ画像SIにおける画像領域A3、A4が強調されるので、差分ページ画像SIの表示時に画像検査データ作成装置１のオペレータが容易に注目することができる。
注釈画像作成部１７３２は、差分ページ画像SIにおける画像領域の外接矩形を取得して、該外接矩形における輪郭線を表示するようにして、注釈画像TIを作成する。注釈画像TIについて、外接矩形の位置情報と合わせて、注釈画像データ作成部１７３２が注釈画像データとして作成する。
なお、注釈画像TIの形状は、外接矩形に限定されることはなく、画像領域の重心点を中心とした所定半径を有する円であってもよい。
【００３９】
あるいは、注釈画像作成部１７３２は、差分ページ画像SI本来の画素が有する色情報とは別の色情報を設定することにより、注釈画像TIとするようにしてもよい。注釈画像作成部１７３２によるこのような処理によっても、差分ページ画像SIにおける画像領域A3、A4が表示された場合に、画像検査データ作成装置１のオペレータが容易に注目することができる。
【００４０】
注釈画像作成部１７３２が差分ページ画像SIを強調する注釈画像TIを作成することにより、後述するプロセスにおいて、被検査用ページ画像HIと検査用ページ画像KIとの差異を容易に確認することができる。
作成された注釈ページ画像データは、後述するプロセスにおいて、確認用ページ画像データに追加するために使用される。
【００４１】
差分位置情報作成部１７３３は、注釈画像TIの位置について、被検査用ページ画像HIあるいは検査用ページ画像KIの基準点に基づいたオフセット情報を取得して、差分位置情報を作成する。差分位置情報作成部１７３３はさらに、差分ページ画像SIに付された注釈画像TIの位置情報を特定するために、注釈画像TIが付された差分ページ画像SIを作成する元となったページデータのジョブデータJDにおけるページ番号、ページデータを格納したジョブデータJDの名称、加えて該ジョブデータJDが保存されているパス名なども作成した差分位置情報で取り扱う。
作成された差分位置情報は、後述するプロセスにおいて、確認用ページ画像データのコメントとして使用される。
【００４２】
確認用ページ画像データ作成部１７４は、被検査用ページ画像HI、検査用ページ画像KI、および差分ページ画像SIを切替表示が可能なように階層構造化した確認用ページ画像CIを含む確認用ページ画像データを作成する。
確認用ページ画像データ作成部１７４は、確認用ページ画像データをページデータと同形式のデータ形式で作成する。例えば、ページデータがPDFの場合、確認用ページ画像データ作成部１７４は、確認用ページ画像データをPDF形式のデータ形式で作成する。この時、被検査用ページ画像HI、検査用ページ画像KI、差分ページ画像SIについては、PDFの様式に則って階層構造化される。従って、後述するページデータ表示部１７６として機能するADOBE reader（ADOBE社の商標）において確認用ページ画像データを表示することが可能であると共に、階層構造化された被検査用ページ画像HI、検査用ページ画像KI、差分ページ画像SIそれぞれについて、切替表示を行なって表示することが可能となる。
【００４３】
確認用ページ画像データ作成部１７４では、差分ページ画像属性情報作成部１７３１が作成した差分ページ画像属性情報STDについて、確認用ページ画像データを作成する際にコメントとして追加する。
これにより、差分ページ画像SIにおける差分領域の属性情報を確認することが容易となる。
【００４４】
また、確認用ページ画像データ作成部１７４では、注釈画像作成部１７３２が作成した注釈画像データについても階層構造化することができるので、差分ページ画像SIを容易に確認することができる。
また、確認用ページ画像データ作成部１７４では、差分位置情報作成部１７３３が作成した差分位置情報について、確認用ページ画像データを作成する際にコメントとして追加することができるので、差分ページ画像SIにおける差分領域の位置情報を確認することが容易となる。
【００４５】
図５は、確認用ページ画像データ作成部１７４によって作成された確認用ページ画像データCIDを説明するための図である。図示しているように、レイヤーL1、L2、L3、L4が階層構造化されており、これらを全て重ね合わせることにより、確認用ページ画像データCIDは確認用ページ画像CIを表現している。
【００４６】
確認用ページ画像データ作成部１７４は、被検査用ページ画像データHIDを最下層であるレイヤーL1に格納する。続いて、検査用ページ画像データKIDをレイヤーL2に格納する。同様に、差分ページ画像データSIDをレイヤーL3、注釈画像作成部１７３２が作成した注釈画像データTIDをレイヤーL4に格納することにより、階層構造化された確認用ページ画像データCIDを作成する。確認用ページ画像データ作成部１７４は、各画像について切替表示可能なように階層構造化する。
確認用ページ画像データ作成部１７４による確認用ページ画像データCIDの階層構造化は、被検査用ページ画像データHID、検査用ページ画像データKID、差分ページ画像データSIDあるいは注釈画像データTIDを直接格納したものではなく、各画像を表現するためのデータ、すなわち被検査用ページ画像データHID、検査用ページ画像データKID、差分ページ画像データSID、注釈画像データTIDをリンクすることによって実現してもよい。
また、確認用ページ画像データ作成部１７４は、差分ページ画像属性情報STD、差分位置情報が作成されていたならば、それらを確認用ページ画像データCIDにおいてコメントとして追加する。
【００４７】
確認用ページ画像データ作成部１７４は、確認用ページ画像データCIDをページデータと同形式のデータ形式で作成しているので、被検査用ページ画像HI、検査用ページ画像KI、差分ページ画像SI、注釈画像TIはそれぞれPDFレイヤーとして表示されることになり、確認用ページ画像データCIDは、後述するページデータ表示部１７６として機能するADOBE readerなどのPDFを表示するためのアプリケーションにおいて表示することができると共に、レイヤーL1、L2、L3、L4の表示／非表示を切り替えることができる。
【００４８】
レポートデータ作成部１７５は、確認用ページ画像データ作成部１７４によって作成された確認用ページ画像データを格納したレポートデータRDを作成する。
レポートデータ作成部１７５は、格納した確認用ページ画像データそれぞれについて、該確認用ページ画像データの作成元であるページデータと関連付けを行なう。確認用ページ画像データと、該確認用ページデータを作成するために使用した被検査用ページ画像データおよび検査用ページ画像データを得るためにRIPを行なったページデータとを、レポートデータ作成部１７５は関連付ける。
レポートデータ作成部１７５による確認用ページ画像データとページデータとの関連付けは、ページデータに対してリンクを行なうための画像となるリンクページ画像を作成し、該リンクページ画像を確認用ページ画像データに切替表示可能なように階層構造化して追加することによって実現する。
このような関連付けを行なうことにより、確認用ページデータによる検査を行なった後、該検査の対象となったページデータに対するアクセスを容易に行なうことができるので、該ページデータに対する修正作業等に有益である。
【００４９】
レポートデータ作成部１７５は、確認用ページ画像データを格納してレポートデータRDを作成するに際して、表紙データを作成する。表紙データは、レポートデータRD表示時に最初に表示されるページについてのデータであり、レポートファイル名、検査結果、検査条件、確認用ページ画像データの作成元であるページデータの名称を表示する。
【００５０】
レポートデータ作成部１７５は、表紙データを作成するに際して、レポートファイル名として、レポートデータRD自体の名称を決定する。レポートファイル名の決定は、検査を行なった時間情報とジョブデータJDの名称とから、「(日付)(ジョブデータJD名称)レポート」とする。また、ユニークな名称を画像検査データ作成装置１のオペレータに促してもよい。
レポートを行なったジョブデータJDの名称については、検査を行なった対象であるジョブデータJDのファイル名を使用する。
検査結果として、画像検査データ作成装置１によって行なった検査結果についての情報として、レポートを行なった対象であるジョブデータJDの名称に加え、検査を行なったページ数、検査を行なった日時、差分画像データの数、レポートファイル名を使用する。
検査条件については、レポートデータ作成部１７５が画像比較部１７３において設定された検査条件の情報を取得し、それらを表紙データの作成に使用する。
確認用ページ画像データの作成元であるページデータの名称は、上記のように確認用ページ画像データと、該確認用ページ画像データの作成元であるページデータの関連付けをレポートデータ作成部１７５が行なっているので、その時の情報を使用する。
【００５１】
レポートデータ作成部１７５は、表紙データを確認用ページ画像データCIDと同じデータ形式で作成し、該表紙データを格納した確認用ページ画像データの先頭に配置して、レポートデータRDを作成する。
図６は、レポートデータRDの構成を説明するための図である。図示しているように、レポートデータRDは表紙データFDを先頭とし、検査を行なった結果作成された確認用ページ画像データCIDを含むデータとなる。このレポートデータRDがPDF形式で作成されたデータである場合、ADOBE readerによるページ表示が行なわれるので、一般的に使用されているPDFファイル同様に、レポートデータRDを表示することができる。
すなわち、レポートデータRDもまたページデータと同形式のデータなので、後述するページデータ表示部１７６による表示を行なうことができる。例えば、ページデータがPDF形式のデータであるならば、レポートデータRDもPDF形式のデータとなることから、ADOBE readerによるレポートデータRDの表示を可能とする。
【００５２】
レポートデータ作成部１７５が作成したレポートデータRDは、記憶部１６に記憶される。レポートデータRDは、画像検査データ作成装置１のオペレータによって、ページデータ表示部１７６によって表示部１２に表示することによる検査の他、ジョブデータJDの作成者、あるいはジョブデータJDに基づく印刷を行なうRIP作業者が必要とした場合、記憶部１６に記憶されたレポートデータRDはメディアディスク１８に格納されて搬送されるか、あるいはネットワークI/F１４を介して、画像検査データ作成装置１外部のページデータ表示装置による表示に供される。
【００５３】
ページデータ表示部１７６は、ページ記述言語で記述されたページデータ、レポートデータRDについて、表示用のRIPを行ない、表示用ページ画像、表示用レポート画像を作成して、表示部１２に表示する。
ページデータ表示部１７６は、レポートデータRDに格納された確認用ページ画像データが複数の画像を切替表示可能に階層構造化されていることから、切替表示を制御する。また、確認用ページ画像データCIDに含まれるコメントについて、表示を制御する。
ページデータ表示部１７６が、レポートデータRDの内容を表示部１２に表示することにより、画像検査データ作成装置１における被検査用ページ画像HIと検査用ページ画像KIとの差異の確認を実行することが可能となる。
【００５４】
図７は、ページデータ表示部１７６が、レポートデータRDを表示部１２に表示した状態を示すための図である。
【００５５】
図７では、レポートデータRDに格納された、ある確認用ページ画像データが表現する確認用ページ画像CIが表示されている。また、表示部１２には、ページデータ表示部１７６により、レイヤー切替欄La、コメント切替欄Naが表示されている。
【００５６】
レイヤー切替欄Laは、階層構造化された確認用ページ画像データの階層について表示を選択するために使用される。レイヤー切替欄Laでは、表示部１２に表示される確認用ページ画像CIの表示について、階層構造化されている被検査用ページ画像データを格納しているL1、検査用ページ画像データを格納しているL2、差分ページ画像データを格納しているL3、注釈画像データを格納しているL4、を表示するか否かを入力部１３の入力により選択する。レイヤー切替欄Laの選択は排他的なものではなく、レイヤーL1〜L4を複数選択、あるいは全てを同時に表示することができる。
図７では、レイヤー切替欄Laの選択において、レイヤーL3、L4が選択されているので、ページデータ表示部１７６は、確認用ページ画像CIとしてレイヤーL3に格納された差分ページ画像データによって表現される差分ページ画像SI、レイヤーL4に格納された注釈画像データによって表現される注釈画像TIを表示部１２に表示している。
【００５７】
コメント切替欄Naは、確認用ページ画像データに含まれる差分画像データSIDによって表示される画像領域A3、A4に付与された差分ページ画像属性情報STD、差分位置情報SPDを選択するために使用される。コメント切替欄Naでは、画像領域A3、A4に付与された差分ページ画像属性情報STD、差分位置情報SPDを一まとめにした選択欄Na3、Na4として表示している。
【００５８】
ここでは、コメント切替欄Naの選択欄Na3において、画像領域A3に付与された差分ページ画像属性情報STDとして、「HI:C100,M100,Y100,K100」、「KI:C0,M0,Y0,K0」が表示されており、差分位置情報SPDとしてジョブデータJDにおける２ページであることを示す「JD_PD2」が表示されている。
また、コメント切替欄Naの選択欄Na4では、画像領域A4に付与された差分ページ画像属性情報STD、差分位置情報SPDが表示されている。
【００５９】
コメント切替欄Naに対して、入力部１３によって選択欄Na3を選択すると、ページデータ表示部１７６は画像領域A3についてズームアップ表示を行なう。また、コメント切替欄Naに表示されている選択欄Na4を入力部１３によって選択することで、ズームアップ表示のまま画像領域A3から画像領域A4へ表示を切り替えることができる。
なお、コメント切替欄Naを表示しない場合、差分ページ属性情報STD、差分位置情報SPDは、画像領域に付与されるバルーン内に表示するようにしてもよい。
【００６０】
また、確認用ページ画像データでは、ページデータに対する関連付けとして、リンクページ画像もまた階層構造化されて格納されている。それに従って、図７に示すレイヤー切替欄では、レイヤーL5としてリンクページ画像が選択可能である。入力部１３による選択により、レイヤーL5の表示が選択されると、差分ページ画像SIの表示において、リンクページ画像の表示が追加され、確認用ページ画像データに関連付けられているページデータ、すなわち該差分ページ画像SIの作成元でもあるページデータに対するリンク情報が表示される。
【００６１】
画像検査データ作成装置１のオペレータは必要に応じて、リンク情報を入力部１３によって入力することにより、ページデータ表示部１７６によりページデータを表示部１２に表示することができる。ページデータの表示を行なうことにより、ページデータの表現するページ画像を確認することができる。
【００６２】
なお、ページデータ表示部１７６は、ページデータを表示するために一般的に使用されるアプリケーションソフトウェアで実現してもよい。例えばページデータ、レポートデータRDがPDF形式のデータである場合、ADOBE reader(ADOBE社の商標)をページデータ表示部１７６として使用することができる。
【００６３】
図８は、画像検査データ作成装置１の動作を説明するためのフローチャートである。記憶部１６に格納されたプログラムPが、画像検査データ作成装置１のCPU１１によってメモリ１７で実行されることにより、画像検査データ作成装置１は以下のような動作を実行する。
【００６４】
ステップS1において、画像検査データ作成装置１がページデータを格納したジョブデータJDを取得する。画像検査データ作成装置１のCPU１１は、ネットワークI/F１４を介して、図示しない端末から図示しないネットワークを介して、ジョブデータJDを取得する。あるいは、メディアディスク１８に格納されたジョブデータJDをメディアドライブ１５を介して、画像検査データ作成装置１が取得する。また、図示しないページデータ作成手段を画像検査データ作成装置１が備えており、該ページデータ作成手段で作成されたページデータを格納したジョブデータJDを画像検査データ作成装置１が取得してもよい。
【００６５】
ジョブデータJDは、一つの印刷物を作成するために使用されるページデータを１以上格納したデータである。ジョブデータJDに格納されたページデータを、図示しない印刷制御装置がRIPすることにより、１ページ分の印刷を行なうための印刷用ページ画像データが作成される。図示しない印刷制御装置がジョブデータJDに格納されたページデータを全てRIPすると、一つの印刷物を作成するための複数の印刷用ページ画像データが作成されることになる。
画像検査データ作成装置１が取得したジョブデータJDは、記憶部１６に記憶される。
【００６６】
ステップS2で、被検査用ページ画像データ作成部１７１が、ステップS1で取得したジョブデータJDに格納されたページデータに対して印刷用RIP相当のRIPを行なうことにより、図示しない印刷制御装置が出力する印刷用ページ画像データに相当する解像度の多値ビットマップ画像である被検査用ページ画像HIを表現する被検査用ページ画像データHIDを作成する。作成された被検査用ページ画像データHIDは、一時的にメモリ１７が記憶する。
【００６７】
ステップS3では、検査用ページ画像データ作成部１７２が、ステップS1で取得したジョブデータJDに格納されたページデータに対して表示用RIP相当のRIPを行なうことにより、ページデータ表示部１７６で表示部１２に表示する表示用ページ画像データに相当する解像度の多値ビットマップ画像である検査用ページ画像KIを表現する検査用ページ画像データKIDを作成する。ステップS3において、検査用ページ画像データ作成部１７２は、ページデータ表示部１７６の機能を利用して、検査用ページ画像データKIDを作成してもよい。作成された検査用ページ画像データKIDは、一時的にメモリ１７が記憶する。
【００６８】
ここで、被検査用ページ画像データHIDが印刷用ページ画像データ相当であり、検査用ページ画像データKIDが表示用ページ画像データ相当であるのは、画像検査データ作成装置１により作成される差分ページ画像データによる画像検査の目的が、作成されたページデータのページ画像と同じ見え方を印刷物のページ画像に希望していることから、表示用ページ画像データ（検査用ページ画像データKID）を基準として印刷用ページ画像データ（被検査用ページ画像データHID）が適正か否かを検査するためである。
【００６９】
ステップS4は、画像比較部１７３が、被検査用ページ画像データHIDによって表現される被検査用ページ画像HIと、検査用ページ画像データKIDによって表現される検査用ページ画像KIとを比較し、差分ページ画像SIを表現する差分ページ画像データSIDを作成する。
画像比較部１７３は、被検査用ページ画像HIおよび検査用ページ画像KIの解像度が一致していない場合、両者の解像度を一致するような処理を行ない、被検査用ページ画像HIを構成する画素と検査用ページ画像KIを構成する画素とを比較し、該画素における画素値の有無に基づいて差分ページ画像SIを取得し、差分ページ画像データSIDを作成する。
画像比較部１７３による二つの画像比較手法については、公知の手法を適宜使用する。
【００７０】
また、ステップS4において、画像比較部１７３は、差分画像ページ画像データによって表現される差分ページ画像SIの確認を容易に行なうために、差分ページ画像属性情報作成部１７３１による差分ページ画像属性情報作成、注釈画像作成部１７３２による注釈画像作成、差分位置情報作成部１７３３による差分位置情報作成を行なう。
【００７１】
ステップS5で、確認用ページ画像データ作成部１７４が、被検査用ページ画像データHID、検査用ページ画像データKID、および差分ページ画像データSIDに基づいて、被検査用ページ画像HI、検査用ページ画像KI、および差分ページ画像SIを切替表示が可能なように階層構造化した確認用ページ画像CIを表現する確認用ページ画像データCIDを作成する。
確認用ページ画像データ作成部１７４は、被検査用ページ画像データHIDを最下層であるレイヤーL1に格納する。続いて、検査用ページ画像データKIDをレイヤーL2に格納する。同様に、差分ページ画像データSIDをレイヤーL3、注釈画像作成部１７３２が作成した注釈画像データTIDをレイヤーL4に格納することにより、ページデータと同じデータ形式の階層構造化された確認用ページ画像データCIDを作成する。確認用ページ画像データ作成部１７４は、各画像について切替表示可能なように階層構造化する。
また、確認用ページ画像データ作成部１７４は、差分ページ画像属性情報、差分位置情報が作成されていたならば、それらを確認用ページ画像データCIDにおいてコメントとして追加する。
【００７２】
ステップS6において、画像検査データ作成装置１は、ジョブデータJDにおいて検査を行なうべきページデータが存在するか否かを判断する。画像比較部１７３によって指定されたページ数に基づいて、画像検査データ作成装置１は記憶部１６に記憶されたジョブデータJDから検査を行なうべきページデータが残っているか否かを判断し、残っている場合にはステップS1に帰還して、ステップS2〜S5のプロセスを繰り返して確認用ページ画像データCIDの作成を行なう。
ステップS6において、検査を行なうべきページデータが存在しないと画像検査データ作成装置１が判断した場合、ステップS7に移行する。
【００７３】
ステップS7は、レポートデータ作成部１７５が、ステップS5で作成された確認用ページ画像データCIDを格納したレポートデータRDを作成する。レポートデータ作成部１７５が作成するレポートデータRDは、ページデータと同形式のデータである確認用ページ画像データCIDを格納したものであることから、やはりページデータと同形式のデータとなる。
レポートデータRDの作成が終了したならば、画像検査データ作成装置１は、その動作を完了する。
【００７４】
図９は、画像検査データ作成装置１によって作成されたレポートデータRDが、ネットワーク４を介して、ページデータ表示装置２、３に送信される状態を説明するための図である。ページデータ表示装置２は、ジョブデータJDの作成者の元にあり、ページデータ表示装置３はジョブデータJDを印刷するためにRIPを行なうRIP作業者の元にある。
【００７５】
ジョブデータJDの作成者は、作成したジョブデータJDによる印刷が適切に実行可能かどうかを判断するため、ジョブデータJDを画像検査データ作成装置１へ、ネットワーク４を介して、送信する。
画像検査データ作成装置１は、受信したジョブデータJDについて図８に示すフローチャートに基づく処理を行なってレポートデータRDを作成し、ネットワーク４を介して、ジョブデータJDの作成者へ返信する。
ジョブデータJDの作成者は、ページデータ表示装置２においてレポートデータRDを表示することにより、作成したジョブデータJDに含まれるページデータの記述が適切であったか否かを確認することができるので、RIP作業者によるRIP前に適切な印刷が実行可能かどうかを判断することができる。
【００７６】
一方、ネットワーク４を介してジョブデータJDを受信しRIPを行なったRIP作業者が、ジョブデータJDをRIPして適切な結果を得られなかった場合に、該ジョブデータJDを画像検査データ作成装置１へネットワーク４を介して送信する。
画像検査データ作成装置１は、受信したジョブデータJDについて図８に示すフローチャートに基づく処理を行なってレポートデータRDを作成し、ネットワーク４を介して、RIP作業者へ返信する。
RIP作業者は、ページデータ表示装置３においてレポートデータRDを表示することにより、RIPミスがRIP時のトラブルに依るものか、あるいはジョブデータJDの作成時に不適切な記述があったのかを確認することができるので、再度ジョブデータJDをRIPする場合のRIPトラブルを防止することができる。
【００７７】
〈変形例〉
これまでの説明では、画像検査条件を設定する前に被検査用ページ画像データHID、検査用ページ画像データKIDの作成を行なってきたが、ステップS4における画像検査条件を設定した後、被検査用ページ画像データHID、検査用ページ画像データKIDの作成を行なうようにしてもよい。
【００７８】
また、画像検査データ作成装置１は単体のコンピュータとして説明を行なってきたが、被検査用ページ画像データ作成部１７１、検査用ページ画像データ作成部１７２の機能を、別のコンピュータに振り分けてもよい。具体的には、被検査用ページ画像データ作成部１７１としてジョブデータJDに対して印刷用RIPを行なう印刷制御装置を使用し、検査用ページ画像データ作成部１７２としてジョブデータJDに対して表示用RIPを行なうページ表示装置を使用することにより、被検査用ページ画像データHID、検査用ページ画像データKIDを作成し、作成された被検査用ページ画像データHID、検査用ページ画像データKIDをネットワークI/F１４を介して取得するか、あるいはメディアディスク１８を介して取得するようにしてもよい。
【符号の説明】
【００７９】
１  画像検査データ作成装置
２、３  ページデータ表示装置
４  ネットワーク
１１  CPU
１２  表示部
１３  入力部
１４  ネットワークI/F
１５  メディアディスク
１６  記憶部
１７  メモリ
１８  メディアディスク
１７１  被検査用ページ画像データ作成部
１７２  検査用ページ画像データ作成部
１７３  画像比較部
１７４  確認用ページ画像データ作成部
１７５  レポートデータ作成部
１７６  ページデータ表示部
１７３１  差分ページ画像属性情報作成部
１７３２  注釈画像作成部
１７３３  差分位置情報作成部
A1、A2、A3、A4  画像領域
CI  確認用ページ画像
CID  確認用ページ画像データ
FD  表紙データ
HI  被検査用ページ画像
HID  被検査用ページ画像データ
KI  検査用ページ画像
KID  検査用ページ画像データ
P  プログラム
RD  レポートデータ
SI  差分ページ画像
SID  差分ページ画像データ
SPD  差分位置情報
STD  差分ページ画像属性情報
TI  注釈画像
TID  注釈画像データ
【図１】
0006517890.tif 000002
【図２】
0006517890.tif 000003
【図３】
0006517890.tif 000004
【図４】
0006517890.tif 000005
【図５】
0006517890.tif 000006
【図６】
0006517890.tif 000007
【図７】
0006517890.tif 000008
【図８】
0006517890.tif 000009
【図９】
0006517890.tif 000010